(57)【特許請求の範囲】
【請求項１】
断熱仕切り壁に仕切られて下方に低温室が設けられ、上方に高温室が設けられた冷凍冷蔵庫において、
前記低温室の奥側に設けられた冷却器室の冷気をすべて前記低温室に送る第１の送風機と、
前記高温室の奥側に設けられた高温室ダクトに前記低温室の冷気を送る第２の送風機を設けたことを特徴とする冷凍冷蔵庫。
【請求項２】
前記低温室と高温室とを仕切る前記断熱仕切り壁に、前記低温室に開口する吸込み口を有し前記高温室ダクトに連通する冷気導入ダクトを設け、該冷気導入ダクトの前記高温室ダクトへの吹出し口に、前記第２の送風機を設けたことを特徴とする請求項１に記載の冷凍冷蔵庫。
【請求項３】
前記低温室に該低温室を左右に仕切る低温室仕切り壁を設け、該低温室仕切り壁に前記低温室に開口する吸込み口を有し前記高温室ダクトに連通する冷気導入ダクトを設け、該冷気導入ダクトの前記高温室ダクトへの吹出し口に前記第２の送風機を設けたことを特徴とする請求項１に記載の冷凍冷蔵庫。
【請求項４】
前記断熱仕切り壁と低温室仕切り壁の両者に前記請求項２及び請求項３に係る冷気導入ダクトを設け、該冷気導入ダクトの吹出し口に前記第２の送風機を設けたことを特徴とする請求項１に記載の冷凍冷蔵庫。
【請求項５】
断熱仕切り壁の下方に低温室が設けられ、該断熱仕切り壁の上方に高温室が設けられた断熱箱体を有し、
前記低温室の奥側に設けられた低温室奥側断熱壁と前記断熱箱体との間に冷却器を有する冷却器室を設け、前記低温室奥側断熱壁に前記低温室と冷却器室とを連通する吹出しダクト及び戻りダクトを設けて前記吹出しダクトに第１の送風機を設置し、
前記断熱仕切り壁又は前記低温室を左右に仕切る低温室仕切り壁の一端に前記低温室に開口する吸込み口を有し、他端に前記高温室の奥側に設けた高温室ダクトに開口する吹出し口を有する冷気導入ダクトを設け、該冷気導入ダクトの吹出し口側に第２の送風機を設置したことを特徴とする冷凍冷蔵庫。
【請求項６】
前記冷気導入ダクトの吸込み口を前記低温室の低温室扉の近傍に設けたことを特徴とする請求項２〜５のいずれか一項に記載の冷凍冷蔵庫。
【請求項７】
前記冷気導入ダクトの第２の送風機の上流側にダンパーを設けたことを特徴とする請求項２〜６のいずれか一項に記載の冷凍冷蔵庫。
【発明の詳細な説明】
【技術分野】
【０００１】
本発明は、冷蔵室が冷凍室より上方に配置され、庫内冷却用の循環送風機とは別に、冷蔵室へ冷気を送る冷蔵室冷却用の送風機を備えた冷凍冷蔵庫に関するものである。
【背景技術】
【０００２】
大容量の、特に高温室（冷蔵室、野菜室など冷蔵温度帯の室）が低温室（冷凍室、製氷室など冷凍温度帯の室）より上方に配置され、低温室の奥側に庫内空気冷却用の冷却器を備え、冷却器により冷却された冷気を循環ファンにより循環させ庫内を冷却する方式の冷凍冷蔵庫においては、容積が大きく高さの高い高温室の最上段まで冷却することは、１台の循環ファンでは困難になってきており、高温室冷却用のファンを追加配置することによって、高温室の冷却をより効果的に行うようにした冷蔵庫が提案されている（例えば、特許文献１参照）。
【先行技術文献】
【特許文献】
【０００３】
【特許文献１】特許第４６６７３０７号公報（第５頁、図３−４）
【発明の概要】
【発明が解決しようとする課題】
【０００４】
特許文献１に開示された冷蔵庫の風路構造は、低温室の背面の冷却器の出口近傍に設けられた庫内冷却用の循環ファンから吹き出した冷気は、低温室に流入する冷気と高温室に流入する冷気とに分けられ、高温室側に流入した冷気は、高温室の背面に設けられた高温室冷却用のファンにより高温室内に吹き出すようになっている。
【０００５】
しかしながら、このような構造では、高温室を冷却する際に高温室冷却用のファンを回転駆動させると、図５に示すように、低温室へ供給する冷気を高温室冷却用に分配する形となってしまうため、低温室へ吹き出される冷気の風量が減少し、低温室の冷却効率が低下するという問題点があった。
【０００６】
本発明は、上記の課題を解決するためになされたもので、冷却器室の冷気はすべて低温室へ送られ、高温室を冷却する場合は低温室の冷気を高温室へ送るようにすることにより、高温室を冷却する場合にも低温室の冷却効率が低下することのない冷凍冷蔵庫を提供することを目的としたものである。
【課題を解決するための手段】
【０００７】
本発明は、断熱仕切り壁に仕切られて下方に低温室が設けられ、上方に高温室が設けられた冷凍冷蔵庫において、前記低温室の奥側に設けられた冷却器室の冷気をすべて前記低温室に送る第１の送風機と、前記高温室の奥側に設けられた高温室ダクトに前記低温室の冷気を送る第２の送風機を設けたものである。
【発明の効果】
【０００８】
本発明によれば、冷却器室の冷気は第１の送風機によりすべて低温室へ送られ、高温室を冷却する場合は第２の送風機により低温室の冷気を高温室へ送るようにしたので、高温室を冷却する場合にも低温室の冷却効率が低下することはない。
【図面の簡単な説明】
【０００９】
【図１】本発明の実施の形態１に係る冷凍冷蔵庫の扉を外した状態を示す概略説明図である。
【図２】一部を省略した図１のＡ−Ａ断面図である。
【図３】本発明に係る冷凍冷蔵庫の冷気経路図である。
【図４】本発明の実施の形態２に係る冷凍冷蔵庫の要部の説明図である。
【図５】従来の冷凍冷蔵庫の冷気経路図である。
【発明を実施するための形態】
【００１０】
［実施の形態１］
図１は本発明の実施の形態１に係る冷凍冷蔵庫の扉を外した状態を示す概略説明図、図２は一部を省略した図１のＡ−Ａ断面図である。
両図において、１は前面が開口された冷蔵庫本体を構成する断熱箱体で、鋼板からなる外箱１ａ、樹脂成形品からなる内箱１ｂ、及び外箱１ａと内箱１ｂとの間に充填された断熱材１ｃからなっている。
【００１１】
２は例えば冷凍室の如き低温室３と、冷蔵室の如き高温室４とを仕切る断熱仕切り壁で、低温室３は低温室仕切り壁５により２室に分割されている。なお、この低温室仕切り壁５を省略し、低温室３を１室で構成してもよい。６は低温室３の前面開口部を開閉する低温室扉、７は高温室４の前面開口部を開閉する高温室扉である。
【００１２】
８は低温室３の奥側に設けられた低温室奥側断熱壁で、断熱箱体１の内箱１ｂとの間には冷却器室９が形成されており、この冷却器室９内には冷却器１０が設置されている。１１は低温室３の上部と冷却器室９とを連通する吹出しダクト、１２は低温室３の下部と冷却器室９とを連通する戻りダクトである。１３は吹出しダクト１１内に設置された庫内冷却送風機（以下、第１の送風機という）である。
【００１３】
１４は高温室４の奥側に設けられた高温室奥側断熱壁で、断熱箱体１の内箱１ｂとの間には高温室ダクト１５が形成されている。
１６は断熱仕切り壁２に設けられた冷気導入ダクトで、一端は低温室３に開口して吸込み口１６ａを形成し、他端は高温室ダクト１５に開口して吹出し口１６ｂを形成している。
【００１４】
１７は冷気導入ダクト１６の高温室ダクト１５への吹出し口１６ｂ側に設けられた高温室冷却送風機（以下、第２の送風機という）である。なお、図１において、１８は低温室奥側断熱壁８に設けられて、低温室３と冷却器室９とを連通する低温室冷気吹出し口、１９は高温室奥側断熱壁１４に設けられて、高温室４と高温室ダクト１５とを連通する高温室冷気吹出し口である。
【００１５】
次に、上記のように構成した冷凍冷蔵庫の冷却作用について説明する。
冷却器１０によって冷却された冷却器室９内の空気（冷気）は、すべて第１の送風機１３により吹出しダクト１１及び低温室冷気吹出し口１８から低温室３に吹き出され、低温室３内を冷却して戻りダクト１２から冷却器室９に戻り、冷却器１０により再び冷却される。
【００１６】
また、高温室４内を冷却する場合は、第２の送風機１７が回転駆動される。これにより、低温室３内の冷気が吸込み口１６ａから冷気導入ダクト１６に吸い込まれ、吹出し口１６ｂから高温室ダクト１５に送られて、高温室奥側断熱壁１４に設けられた高温室冷気吹出し口１９から吹き出して高温室４内を冷却し、高温室戻りダクト（図示せず）から冷却器室９へ戻る。
【００１７】
このように、本実施の形態においては、図３に示すように、冷却器室９で冷却された最も低温の冷気が、第１の送風機１３によりすべて低温室３へ送られ、低温室３の冷却に用いられる。そして、高温室４の冷却には、冷気導入ダクト１６から送られた低温室３の雰囲気の冷気を利用することになるが、この冷気は、第１の送風機１３から吹き出した直後の冷気に比べれば温度は高いが、高温室４内を目標温度に冷却するには十分である。
【００１８】
また、冷気導入ダクト１６の吸込み口１６ａの近傍は低圧になるため、この吸込み口１６ａを低温室３の高温になり易い位置（例えば、低温室扉６の近傍）に設けることにより、第１の送風機１３によって低温室３に吹き出された冷気を冷気導入ダクト１６の吸込み口１６ａに導くことができ、低温室３内の温度ムラを改善することができる。
【００１９】
さらに、冷却器室９内の冷気はすべて低温室６に送られる風路構成となっているため、高温室４を冷却する際に低温室３への冷気の風量が減少することがなく、低温室３内の温度上昇を最小に抑えることができる。
【００２０】
［実施の形態２］
図４は本発明の実施の形態２に係る冷凍冷蔵庫の要部の説明図である。なお、実施の形態１と同じ部分には、同じ符号を付してある。
本実施の形態は、低温室３に図１に示すような低温室仕切り壁５を有する冷凍冷蔵庫に係り、低温室３の冷気が高温室４に導かれ冷気導入ダクト２０が低温室仕切り壁５に設けられている。そして、一端には低温室３に開口する吸込み口２０ａが設けられ、他端は断熱仕切り壁２を貫通して高温室ダクト１５に開口する吹出し口２０ｂが設けられており、吹出し口２０ｂには第２の送風機１７が設置されている。
【００２１】
本実施の形態においても実施の形態１の場合とほぼ同様の効果を得ることができるが、さらに、冷気導入ダクト２０の大部分を低温室仕切り壁５に設けたので、低温室３と高温室４とを仕切る断熱仕切り壁２の断熱層の厚さが薄くなることがない。
また、低温室３の低温室仕切り壁５の両側の室は同じ温度帯であるため、両室間の断熱構造は不要か又はごく薄いものでよく、断熱減による庫内の温度の影響を考慮することなく、高温室４へのダクト面積を十分に確保することができる。
【００２２】
さらに、図示してないが、低温室３の温度分布によっては、断熱仕切り壁２と低温室仕切り壁５の両方に、実施の形態１に係る冷気導入ダクト１６と本実施の形態に係る冷気導入ダクト２０を設けてもよい。
【００２３】
［実施の形態３］
本実施の形態は、実施の形態１又は２の冷凍冷蔵庫において、断熱仕切り壁２又は低温室仕切り壁５に設けた冷気導入ダクト１６，２０の第２の送風機１７の上流側に、風路を開閉するダンパー２１（図２参照）を設けたものである。
本実施の形態によれば、ダンパー２１を閉じることにより、低温室３から高温室４への冷気の流れを確実に遮断することができるので、低温室３の温度調整をより確実に行うことができる。
【符号の説明】
【００２４】
１  断熱箱体、１ａ  外箱、１ｂ  内箱、１ｃ  断熱材、２  断熱仕切り壁、３  低温室、４  高温室、５  低温室仕切り壁、６  低温室扉、７  高温室扉、８  低温室奥側断熱壁、９  冷却器室、１０  冷却器、１１  吹出しダクト、１２  戻りダクト、１３  庫内冷却送風機（第１の送風機）、１４  高温室奥側断熱壁、１５  高温室ダクト、１６，２０  冷気導入ダクト、１６ａ，２０ａ  吸込み口、１６ｂ，２０ｂ  吹出し口、１７  高温室冷却送風機（第２の送風機）、１８  低温室冷気吹出し口、１９  高温室冷気吹出し口、２１  ダンパー。
【図１】
0005436522.tif 000002
【図２】
0005436522.tif 000003
【図３】
0005436522.tif 000004
【図４】
0005436522.tif 000005
【図５】
0005436522.tif 000006